(57)【要約】      （修正有）【課題】遮断状態での固定接点と可動接点の間隔を確保しつつ、低背化を図る。【解決手段】ブレーカー１は、固定接点２１と、板状に形成され弾性変形する弾性部４４及び弾性部４４の先端部に可動接点４１を有し、可動接点４１を固定接点２１に押圧して接触させる可動片４と、温度変化に伴って変形することにより、可動片４の状態を導通状態から遮断状態に移行させる熱応動素子５と、固定接点２１、可動片４及び熱応動素子５を収容するケース本体７と、可動片４及び熱応動素子５の少なくとも一部を覆ってケース本体７に装着される蓋部材８とを備える。蓋部材８の可動片４の側を向く内表面には、可動片４を介して固定接点２１と対向する領域で、固定接点２１から離れる方向に退避する退避部８２が局所的に形成されている。【選択図】図１
2020024852.tif 000002
【特許請求の範囲】
【請求項１】
固定接点と、
板状に形成され弾性変形する弾性部及び該弾性部の先端部に可動接点を有し、前記可動接点を前記固定接点に押圧して接触させる可動片と、
温度変化に伴って変形することにより、前記可動片の状態を前記可動接点が前記固定接点に接触する導通状態から前記可動接点が前記固定接点から離隔する遮断状態に移行させる熱応動素子と、
前記固定接点、前記可動片及び前記熱応動素子を収容する第１ケースと、
前記可動片及び前記熱応動素子の少なくとも一部を覆って前記第１ケースに装着される第２ケースとを備えたブレーカーであって、
前記第２ケースの前記可動片の側を向く内表面には、前記可動片を介して前記固定接点と対向する領域で、前記固定接点から離れる方向に退避する退避部が局所的に形成されている、ことを特徴とするブレーカー。
【請求項２】
前記第２ケースは、前記可動片に対向して配された板状のカバー片を含む、請求項１記載のブレーカー。
【請求項３】
前記退避部は、前記カバー片を貫通している、請求項２記載のブレーカー。
【請求項４】
前記退避部は、前記第２ケースを貫通している、請求項１乃至３のいずれかに記載のブレーカー。
【請求項５】
前記可動片は、前記弾性部の基端側に、前記第１ケース及び前記第２ケースによって固定される固定部を有し、
前記退避部は、前記弾性部の長手方向に沿って前記固定接点と対向する領域から前記基端側にのびている、請求項１乃至請求項４のいずれかに記載のブレーカー。
【請求項６】
前記退避部の前記基端側の端縁は、該基端から前記弾性部の長さの７０％以下の位置に配されている、請求項５記載のブレーカー。
【請求項７】
前記可動片は、前記弾性部の基端側に、前記第１ケース及び前記第２ケースによって固定される固定部を有し、
前記退避部は、前記弾性部の長手方向に沿って前記固定接点と対向する領域から前記基端側にのび、
前記退避部の前記基端側の端縁は、該基端から前記弾性部の長さの４８％以上の位置に配されている、請求項４記載のブレーカー。
【請求項８】
前記内表面には、前記弾性部に向って突出する突出部が形成されている、請求項５乃至請求項７のいずれかに記載のブレーカー。
【請求項９】
前記弾性部は、過電流で変形した前記熱応動素子によって塑性変形される、請求項１乃至請求項８のいずれかに記載のブレーカー。
【請求項１０】
請求項１乃至９のいずれかに記載のブレーカーを備えたことを特徴とする安全回路。
【発明の詳細な説明】
【技術分野】
【０００１】
本発明は、電気機器の安全回路に用いて好適な小型のブレーカー等に関するものである。
【背景技術】
【０００２】
従来、各種電気機器の２次電池やモーター等の保護装置（安全回路）としてブレーカーが使用されている。ブレーカーは、充放電中の２次電池の温度が過度に上昇した場合、又は自動車、家電製品等の機器に装備されるモーター等に過電流が流れた場合等の異常が生じた際に、２次電池やモーター等を保護するために電流を遮断する。このような保護装置として用いられるブレーカーは、機器の安全を確保するために、温度変化に追従して正確に動作する（良好な温度特性を有する）ことと、通電時の抵抗値が安定していることが求められる。
【０００３】
ブレーカーには、温度変化に応じて作動し、電流を導通又は遮断する熱応動素子が備えられている。特許文献１には、熱応動素子としてバイメタルを適用したブレーカーが示されている。バイメタルとは、熱膨張率の異なる２種類の板状の金属材料が積層されてなり、温度変化に応じて形状を変えることにより、接点の導通状態を制御する素子である。同文献に示されたブレーカーは、固定片、端子片、可動片、熱応動素子、ＰＴＣサーミスター等の部品が、ケースに収納されてなり、固定片及び端子片の端子がケースから突出し、電気機器の電気回路に接続されて使用される。
【先行技術文献】
【特許文献】
【０００４】
【特許文献１】ＷＯ２０１１／１０５１７５号公報
【０００５】
また、ブレーカーが、ノート型パーソナルコンピュータ、タブレット型携帯情報端末機器又はスマートフォンと称される薄型の多機能携帯電話機等の電気機器に装備される２次電池等の保護装置として用いられる場合、上述した安全性の確保に加えて、小型化が要求される。特に、近年の携帯情報端末機器にあっては、ユーザーの小型化（薄型化又は低背化）の志向が強く、各社から新規に発売される機器は、デザイン上の優位性を確保するために、小型に設計される傾向が顕著である。こうした背景の下、携帯情報端末機器を構成する一部品として、２次電池と共に実装されるブレーカーもまた、さらなる小型化が強く要求されている。
【０００６】
上記ブレーカーにあっては、何らかの事情により、可動片が遮断状態にあるブレーカーに衝撃等が加えられた場合、固定接点と可動接点との瞬間的な導通が生ずる虞がある。このような瞬間的な導通は、遮断状態での固定接点と可動接点との間隙を十分に確保することにより抑制できる。しかしながら、遮断状態での固定接点と可動接点との間隙を十分に確保するためには、ケースの内部空間を大きくする必要があり、ケースの低背化を阻む一因となっている。
【発明の概要】
【発明が解決しようとする課題】
【０００７】
本発明は、上記課題を解決するためになされたものであり、遮断状態での固定接点と可動接点との間隙を十分に確保しつつ、容易に低背化を図ることができるブレーカーを提供することを目的とする。
【課題を解決するための手段】
【０００８】
上記目的を達成するために本発明のブレーカーは、固定接点と、板状に形成され弾性変形する弾性部及び該弾性部の先端部に可動接点を有し、前記可動接点を前記固定接点に押圧して接触させる可動片と、温度変化に伴って変形することにより、前記可動片の状態を前記可動接点が前記固定接点に接触する導通状態から前記可動接点が前記固定接点から離隔する遮断状態に移行させる熱応動素子と、前記固定接点、前記可動片及び前記熱応動素子を収容する第１ケースと、前記可動片及び前記熱応動素子の少なくとも一部を覆って前記第１ケースに装着される第２ケースとを備えたブレーカーであって、前記第２ケースの前記可動片の側を向く内表面には、前記可動片を介して前記固定接点と対向する領域で、前記固定接点から離れる方向に退避する退避部が局所的に形成されている、ことを特徴とするブレーカー。
【０００９】
本発明に係る上記ブレーカーにおいて、前記第２ケースは、前記可動片に対向して配された板状のカバー片を含む、ことが望ましい。
【００１０】
本発明に係る上記ブレーカーにおいて、前記退避部は、前記カバー片を貫通している、ことが望ましい。
【００１１】
本発明に係る上記ブレーカーにおいて、前記退避部は、前記第２ケースを貫通している、ことが望ましい。
【００１２】
本発明に係る上記ブレーカーにおいて、前記可動片は、前記弾性部の基端側に、前記第１ケース及び前記第２ケースによって固定される固定部を有し、前記退避部は、前記弾性部の長手方向に沿って前記固定接点と対向する領域から前記基端側にのびている、ことが望ましい。
【００１３】
本発明に係る上記ブレーカーにおいて、前記退避部の前記基端側の端縁は、該基端から前記弾性部の長さの７０％以下の位置に配されている、ことが望ましい。
【００１４】
本発明に係る上記ブレーカーにおいて、前記可動片は、前記弾性部の基端側に、前記第１ケース及び前記第２ケースによって固定される固定部を有し、前記退避部は、前記弾性部の長手方向に沿って前記固定接点と対向する領域から前記基端側にのび、前記退避部の前記基端側の端縁は、該基端から前記弾性部の長さの４８％以上の位置に配されている、ことが望ましい。
【００１５】
本発明に係る上記ブレーカーにおいて、前記内表面には、前記弾性部に向って突出する突出部が形成されている、ことが望ましい。
【００１６】
本発明に係る上記ブレーカーにおいて、前記弾性部は、過電流で変形した前記熱応動素子によって塑性変形される、ことが望ましい。
【００１７】
本発明の安全回路は、上記ブレーカーを備えたことを特徴とする。
【発明の効果】
【００１８】
本発明のブレーカーでは、固定接点、可動片及び熱応動素子を収容する第１ケースと、可動片及び熱応動素子の少なくとも一部を覆って第１ケースに装着される第２ケースとを備える。第２ケースの内表面には、可動片を介して固定接点と対向する領域で、固定接点から離れる方向に退避する退避部が形成されている。従って、可動片が遮断状態にあるとき、弾性部の先端部が退避部に収容されるので、先端部と蓋部材との干渉が抑制され、固定接点と可動接点との距離が十分に確保される。これにより、何らかの事情により、可動片が遮断状態にあるブレーカーに衝撃等が加えられた場合であっても、固定接点と可動接点との瞬間的な導通が抑制される。また、退避部は、固定接点と対向する領域に局所的に形成されるので、ケース全体を肥大させることなく、容易に低背化を図ることが可能となる。
【図面の簡単な説明】
【００１９】
【図１】本発明の一実施形態によるブレーカーの概略構成を示す組み立て前の斜視図。
【図２】通常の充電又は放電状態における図１のブレーカーを示す断面図。
【図３】過充電状態又は異常時などにおける図１のブレーカーを示す断面図。
【図４】上記ブレーカーの蓋部材を第１面側から視た斜視図である。
【図５】上記ブレーカーの平面図である。
【図６】上記ブレーカーの内部構成を示す断面図である。
【図７】本発明の上記ブレーカーを備えた２次電池パックの構成を示す平面図。
【図８】本発明の上記ブレーカーを備えた安全回路の回路図。
【発明を実施するための形態】
【００２０】
本発明の一実施形態によるブレーカーについて、図面を参照して説明する。図１乃至図３は、ブレーカーの構成を示している。図１及び図３に示されるように、ブレーカー１は、一部がケース１０から外部に露出する一対の端子２２及び４２を備える。端子２２及び４２が外部回路（図示せず）と電気的に接続されることにより、ブレーカー１は、電気機器の安全回路の主要部を構成する。
【００２１】
図１に示されるように、ブレーカー１は、固定接点２１及び端子２２を有する固定片２と、先端部に可動接点４１を有する可動片４と、温度変化に伴って変形する熱応動素子５等によって構成されている。
【００２２】
固定片２、可動片４及び熱応動素子５は、ケース１０に収容されている。ケース１０は、ケース本体（第１ケース）７とケース本体７の上面に装着される蓋部材（第２ケース）８等によって構成されている。
【００２３】
固定片２は、例えば、銅等を主成分とする金属板（この他、銅−チタニウム合金、洋白、黄銅などの金属板）をプレス加工することにより板状に形成され、ケース本体７にインサート成形により埋め込まれている。
【００２４】
固定接点２１は、銀、ニッケル、ニッケル−銀合金の他、銅−銀合金、金−銀合金などの導電性の良い材料のクラッド、メッキ又は塗布等により、形成されている。固定接点２１は、固定片２の先端部すなわち可動接点４１に対向する位置に形成され、ケース本体７の内部に形成されている凹部７３による内部空間に露出されている。
【００２５】
固定片２の他端部には外部回路と電気的に接続される端子２２が形成されている。端子２２は、ケース本体７の側壁から露出し、外部回路と溶接又ははんだ付け等の手法により接続される。固定片２は、固定接点２１と端子２２の間に埋設部２３を有している。固定片２は、埋設部２３においてケース本体７に埋め込まれている。
【００２６】
可動片４は、銅等を主成分とする金属材料をプレス加工することにより板状に形成されている。可動片４は、長手方向の中心線に対して対称なアーム状に形成されている。
【００２７】
可動片４の先端部には、可動接点４１が形成されている。可動接点４１は、固定接点２１と同等の材料によってメッキ又は塗布等の手法によって形成されている。
【００２８】
可動片４の他端部には外部回路と電気的に接続される端子４２が形成されている。端子４２は、ケース本体７の側壁から露出し、外部回路と溶接又ははんだ付け等の手法により接続される。
【００２９】
可動片４は、可動接点４１と端子４２との間に、固定部４３及び弾性部４４を有している。固定部４３は、端子４２と弾性部４４との間に形成されている。固定部４３は、ケース本体７と蓋部材８とによって挟み込まれることにより、ケース１０に埋め込まれ固定されている。固定部４３は、端子４２と弾性部４４との間で、可動片４の短手方向に翼状に突出する突出部４３ａを有する。突出部４３ａが設けられていることにより、固定部４３が幅広く大きな領域でケース本体７及び蓋部材８によって挟み込まれ、可動片４がケース１０に対して強固に固定される。
【００３０】
弾性部４４は、固定部４３から可動接点４１の側に延出されている。弾性部４４は、固定部４３の側を基端４４ｓとし、その反対側に先端部４４ｅを有する。弾性部４４の先端部４４ｅには可動接点４１が形成されている。弾性部４４及び可動接点４１は、凹部７３による内部空間に露出されている。
【００３１】
固定部４３がケース１０に埋め込まれることにより固定され、弾性部４４が弾性変形することにより、その先端に形成されている可動接点４１が固定接点２１の側に押圧されて接触し、固定片２と可動片４とが通電可能となる。
【００３２】
可動片４は、弾性部４４において、プレス加工により湾曲又は屈曲されている。湾曲又は屈曲の度合いは、熱応動素子５を収納できる限り特に限定はなく、作動温度及び可動接点４１の押圧力などを考慮して適宜設定すればよい。弾性部４４には、熱応動素子５に向って突出する一対の突起（接触部）４４ａ，４４ｂが形成されている。突起４４ａ，４４ｂと熱応動素子５とは接触して、突起４４ａ，４４ｂを介して熱応動素子５の変形が弾性部４４に伝達される（図１及び図３参照）。
【００３３】
本出願においては、特に断りのない限り、可動片４において、弾性部４４が熱応動素子５に対向している側の面（すなわち図１乃至図３において下側の面）を第１面、その反対側の面を第２面として説明している。可動片４に沿って配された他の部品、例えば、固定片２、熱応動素子５、ケース１０等についても同様である。
【００３４】
熱応動素子５は、可動片４の状態を可動接点４１が固定接点２１に接触する導通状態から可動接点４１が固定接点２１から離隔する遮断状態に移行させる。熱応動素子５は、円弧状に湾曲した初期形状をなし、熱膨張率の異なる薄板材を積層することにより形成される。過熱により作動温度に達すると、熱応動素子５の湾曲形状は、スナップモーションを伴って逆反りし、冷却により復帰温度を下回ると復元する。熱応動素子５の初期形状は、プレス加工により形成することができる。所期の温度で逆反り変形する限り、熱応動素子５の材質及び形状は特に限定されるものでないが、生産性及び逆反り動作の効率性の観点から矩形状が望ましく、小型でありながら弾性部４４を効率的に押し上げるために正方形に近い長方形であるのが望ましい。なお、熱応動素子５の材料としては、例えば、高膨脹側に銅−ニッケル−マンガン合金又はニッケル−クロム−鉄合金、低膨脹側に鉄−ニッケル合金をはじめとする、洋白、黄銅、ステンレス鋼など各種の合金からなる熱膨張率の異なる２種類の材料を積層したものが、所要条件に応じて組み合わせて使用される。
【００３５】
ケース１０を構成するケース本体７、蓋部材８は、難燃性のポリアミド、耐熱性に優れたポリフェニレンサルファイド（ＰＰＳ）、液晶ポリマー（ＬＣＰ）、ポリブチレンテレフタレート（ＰＢＴ）などの熱可塑性樹脂により成形されている。上述した樹脂と同等以上の特性が得られるのであれば、樹脂以外の絶縁材料を適用してもよい。
【００３６】
ケース本体７には、固定接点２１、可動接点４１、弾性部４４及び熱応動素子５などを収容するための内部空間を構成する凹部７３が形成されている。凹部７３は、平面視で可動片４及び熱応動素子５の外縁に沿う形状に形成されている。ケース本体７に凹部７３が形成されていることにより、弾性部４４が弾性変形可能となり、熱応動素子５が逆反り変形可能となる。
【００３７】
蓋部材８は、可動片４及び熱応動素子５の少なくとも一部を覆うように、ケース本体７に装着される。本実施形態の蓋部材８には、カバー片９がインサート成形によって埋め込まれている。カバー片９は、上述した銅等を主成分とする金属又はステンレス鋼等の金属をプレス加工することにより板状に形成される。カバー片９は、蓋部材８のひいては筐体としてのケース１０の剛性・強度を高めつつブレーカー１の小型化に貢献する。なお、蓋部材８を構成する樹脂等によって十分な剛性・強度が得られる場合には、蓋部材８からカバー片９が省かれていてもよい。
【００３８】
図１に示されるように、固定片２、可動片４及び熱応動素子５等を収容したケース本体７に、蓋部材８がケース本体７に装着される。ケース本体７と蓋部材８とは、例えば超音波溶着によって互いに接合される。このとき、ケース本体７と蓋部材８とは、それぞれの外縁部の全周にわたって連続的に接合され、ケース１０の強度及び剛性が向上する。
【００３９】
図２は、通常の充電又は放電状態におけるブレーカー１の動作を示している。通常の充電又は放電状態においては、熱応動素子５は初期形状を維持（逆反り前）している。弾性部４４によって可動接点４１が固定接点２１の側に押圧されることにより、可動接点４１と固定接点２１とが接触し、ブレーカー１の固定片２と可動片４とが導通可能な状態とされる。
【００４０】
図３は、過充電状態又は異常時などにおけるブレーカー１の動作を示している。過充電又は異常により高温状態となると、作動温度に達した熱応動素子５は逆反りし、可動片４の弾性部４４が押し上げられて固定接点２１と可動接点４１とが離隔する。ブレーカー１の内部で熱応動素子５が変形し、可動片４を押し上げるときの熱応動素子５の作動温度は、例えば、７０℃〜９０℃である。このとき、固定接点２１と可動接点４１の間を流れていた電流は遮断される。
【００４１】
図４は、蓋部材８を第１面側から視た斜視図である。蓋部材８の第１面、すなわち可動片４の側を向く内表面８１には、蓋部材８の厚さ方向（可動片４の厚さ方向）すなわち固定接点２１から離れる方向Ｄ１に退避する退避部８２が形成されている。退避部８２は、可動片４を介して固定接点２１（可動片４の先端部）と対向する領域で、局所的に形成されている。
【００４２】
蓋部材８に退避部８２が形成されることにより、図３に示されるように、可動片４が遮断状態にあるとき、弾性部４４の先端部４４ｅが退避部８２に収容される。これにより、先端部４４ｅと蓋部材８との干渉が抑制され、固定接点２１と可動接点４１との距離が十分に確保される。従って、何らかの事情により、可動片４が遮断状態にあるブレーカー１に衝撃等が加えられた場合であっても、固定接点２１と可動接点４１との瞬間的な導通が抑制される。また、退避部８２は、固定接点２１と対向する領域に局所的に形成されるので、ケース１０全体を肥大させることなく、容易に低背化を図ることが可能となる。
【００４３】
退避部８２は、カバー片９の一部を貫通しているのが望ましい。これにより、退避部８２の深さを容易に確保することが可能となり、固定接点２１と可動接点４１との距離を一層大きくすることができる。本実施形態では、カバー片９の端縁にノッチが形成されることにより退避部８２が実現されているが、カバー片９が固定接点２１と対向する領域を超えて端子２２の側に延出されている形態では、カバー片９に形成された貫通孔によって退避部８２が実現されていてもよい。
【００４４】
本実施形態の蓋部材８では、その内表面８１に、熱応動素子との干渉を避けるための凹部８５が形成されている。凹部８５によってカバー片９の第２面は、ケース１０の内部空間に露出している。そして、退避部８２は、凹部８５からさらに陥没して形成されている。これにより、先端部４４ｅと蓋部材８との干渉がより一層抑制される。
【００４５】
図５は、ブレーカー１の平面図である。可動片４が遮断状態にある弾性部４４と蓋部材８との干渉を避けるため、退避部８２は、弾性部４４の外縁に沿って形成されているのが望ましい。「弾性部４４の外縁に沿って」とは、弾性部４４の外縁に対して干渉しない程度のクリアランス（例えば、０．０３ｍｍから０．３０ｍｍ）を隔てて、形成されていることを意味し、弾性部４４の外縁から大きく（例えば、０．８０ｍｍ程度）離れて、熱応動素子５の外縁に沿う形態は除かれる。
【００４６】
退避部８２は、蓋部材８を貫通しているのが望ましい。本実施形態では、退避部８２は、蓋部材８を厚さ方向に貫通する貫通孔８３によって構成されている。これにより、先端部４４ｅと蓋部材８との干渉がより一層容易に抑制され、図３に示される遮断状態において、固定接点２１と可動接点４１との距離を一層大きくすることができる。
【００４７】
本ブレーカー１では、退避部８２によって先端部４４ｅと蓋部材８との干渉が抑制されるので、逆反り時の変形量（すなわち、可動片４の押し上げ量）の大きい熱応動素子５を適用することにより、弾性部４４の変形を塑性領域まで拡大できる。弾性部４４が塑性変形することにより、図３に示される遮断状態において、熱応動素子５の温度が低下することに伴い熱応動素子５が図２に示される形状に復元した後にあっても、弾性部４４の逆反り変形は維持される。従って、可動接点４１が固定接点２１から離れた遮断状態が維持されるので、可動片４の遮断状態を保持するブレーカー１の自己保持機能が、上記特許文献１に示されるＰＴＣサーミスターを用いることなく、簡素な構成で実現される。そして、ＰＴＣサーミスターが省かれた構成によって、ブレーカー１のさらなる低背化を容易に実現できる。
【００４８】
本実施形態では、退避部８２が貫通孔８３によって構成されているので、先端部４４ｅと蓋部材８との干渉がより一層抑制され、弾性部４４を容易に塑性変形させることが可能である。なお、逆反り時の変形量の大きい熱応動素子５は、例えば、上述した熱膨張率が大きく異なる薄板材を積層することにより、容易に実現されうる。
【００４９】
図６は、ブレーカー１の断面を拡大して示している。退避部８２は、弾性部４４の長手方向に沿って形成されている。より具体的には、退避部８２は、弾性部４４のうち固定接点２１と対向する領域から、固定部４３の側すなわち弾性部４４の基端４４ｓ側にのびている。このような退避部８２によって、遮断状態での弾性部４４の先端部４４ｅが効率よく収容される。
【００５０】
弾性部４４の基端４４ｓから退避部８２の端縁８２ｅまでの可動片４の長手方向の距離Ｌ１は、基端４４ｓから弾性部４４の長さＬ２の７０％以下であることが望ましい。すなわち、端縁８２ｅは、基端４４ｓから長さＬ２の７０％以下の位置に配されているのが望ましい。「弾性部４４の長さＬ２」とは、基端４４ｓから可動片４の端子２２側の先端までの距離である。端縁８２ｅが、基端４４ｓから長さＬ２の７０％以下の位置に配されていることにより、図３に示される遮断状態において、固定接点２１と可動接点４１との距離を十分に確保することが可能となる。
【００５１】
また、本実施形態のように、退避部８２が貫通孔８３によって構成されているブレーカー１にあっては、上記距離Ｌ１は、上記長さＬ２の４８％以上であることが望ましい。すなわち、端縁８２ｅは、基端４４ｓから長さＬ２の４８％以上の位置に配されているのが望ましい。端縁８２ｅが、基端４４ｓから長さＬ２の４８％以上の位置に配されていることにより、図３に示される遮断状態において、弾性部４４の先端部４４ｅが蓋部材８の第２面（外表面）から突出することが抑制される。
【００５２】
蓋部材８の内表面８１には、弾性部４４に向って突出する突出部８４が形成されているのが望ましい。本実施形態では、カバー片９の第１面に形成された突出部９１によって突出部８４が実現されている。
【００５３】
突出部９１は、図３に示される遮断状態において、弾性部４４の第２面と当接する。これにより、弾性部４４と突出部９１との当接箇所が支点となって可動片４が押し上げられ、固定接点２１と可動接点４１との距離が容易に維持される。また、突出部９１との当接箇所の周辺で弾性部４４にかかる応力が集中し、弾性部４４の塑性変形が生じ易くなる。かかる観点から、突出部９１は、端縁８２ｅ又はその近傍に設けられるのが望ましい。
【００５４】
本発明のブレーカー１は、上記実施形態の構成に限られることなく、種々の態様に変更して実施されうる。すなわち、ブレーカー１は、少なくとも、固定接点２１と、板状に形成され弾性変形する弾性部４４及び弾性部４４の先端部に可動接点４１を有し、可動接点４１を固定接点２１に押圧して接触させる可動片４と、温度変化に伴って変形することにより、可動片４の状態を可動接点４１が固定接点２１に接触する導通状態から可動接点４１が固定接点２１から離隔する遮断状態に移行させる熱応動素子５と、固定接点２１、可動片４及び熱応動素子５を収容するケース本体７と、可動片４及び熱応動素子５の少なくとも一部を覆ってケース本体７に装着される蓋部材８とを備えたブレーカー１であって、蓋部材８の可動片４の側を向く内表面８１には、可動片４を介して固定接点２１と対向する領域で、固定接点２１から離れる方向に退避する退避部８２が局所的に形成されていればよい。
【００５５】
例えば、ケース本体７と蓋部材８との接合手法は、超音波溶着に限られることなく、両者が強固に接合される手法であれば、適宜適用することができる。例えば、液状又はゲル状の接着剤を塗布・充填し、硬化させることにより、両者が接着されてもよい。また、ケース１０は、ケース本体７と蓋部材８等によって構成される形態に限られることなく、２個以上の部品によって構成されていればよい。
【００５６】
また、可動片４をバイメタル又はトリメタル等の積層金属によって形成することにより、可動片４と熱応動素子５を一体的に形成する構成であってもよい。この場合、ブレーカー１等の構成が簡素化されて、小型化を図ることができる。
【００５７】
また、本発明のブレーカー１等は、２次電池パック、電気機器用の安全回路等にも広く適用できる。図７は２次電池パック５００を示す。２次電池パック５００は、２次電池５０１と、２次電池５０１の出力端回路中に設けたブレーカー１等とを備える。図８は電気機器用の安全回路５０２を示す。安全回路５０２は２次電池５０１の出力回路中に直列にブレーカー１等を備えている。ブレーカー１等を備えたコネクタを含むケーブルによって安全回路５０２の一部が構成されていてもよい。
【符号の説明】
【００５８】
１      ：ブレーカー
４      ：可動片
５      ：熱応動素子
７      ：ケース本体（第１ケース）
８      ：蓋部材（第２ケース）
９      ：カバー片
２１    ：固定接点
４１    ：可動接点
４３    ：固定部
４４    ：弾性部
４４ｅ  ：先端部
４４ｓ  ：基端
８１    ：内表面
８２    ：退避部
８２ｅ  ：端縁
８３    ：貫通孔
８４    ：突出部
９１    ：突出部
５００  ：２次電池パック
５０２  ：安全回路
Ｄ１    ：方向
【図１】
2020024852.tif 000003
【図２】
2020024852.tif 000004
【図３】
2020024852.tif 000005
【図４】
2020024852.tif 000006
【図５】
2020024852.tif 000007
【図６】
2020024852.tif 000008
【図７】
2020024852.tif 000009
【図８】
2020024852.tif 000010